(57)【特許請求の範囲】
【請求項１】
支持体の上に屋根体を固定し、該屋根体の上に太陽光発電パネルを載置固定してなる組立建物において、
前記屋根体は、屋根パネルの縁部を挟持する下保持部材と上保持部材とを複数有し、該上保持部材は短尺状のフレーム固定部品を長手方向に挿入自在な挿入部を上部に有し、該挿入部に挿入されたフレーム固定部品に対し、前記上保持部材と直交する方向に沿って配置されるパネル支持フレームが上方から締結固定され、該パネル支持フレームは前記太陽光発電パネルを載置する載置面部を有し、
前記フレーム固定部品は前記パネル支持フレームの幅より長手方向に長く、
前記挿入部は、前記上保持部材の上面から上方に突出状に形成されると共に、上部開放状に形成され、前記フレーム固定部品は、前記挿入部内に納まり外方に突出しない形状を有すると共に、挿入方向と直行する方向における中央部である固定部が前記挿入部の上方に向かって露出し、前記固定部には前記パネル支持フレームを固定する固定穴が形成されていることを特徴とする組立建物。
【請求項２】
前記屋根体の端部で前記屋根パネルの縁部を挟持する端部上保持部材には、前記パネル支持フレームが直接固定される端部固定面部が一体形成されていることを特徴とする請求項１記載の組立建物。
【発明の詳細な説明】
【技術分野】
【０００１】
本発明は、支持体で屋根体を支持してなり該屋根体に太陽光発電パネルを設けた組立建物に関し、特に屋根体を構成する屋根パネルの押さえ材に太陽光発電パネルを固定するための固定部分を一体形成してなる組立建物に関する。
【背景技術】
【０００２】
カーポートなどの組立建物は、屋根体が支持体により支持されて構成される。近年、屋根体の上に太陽光発電パネルを設けて、自家発電を行う組立建物が多く製造されている。組立建物の屋根に太陽光発電パネルを設ける構造としては、屋根体の上に一方向に沿う載置台部材を、該一方向と直交する方向に沿って複数固定し、この載置台部材の上に太陽光発電パネルを載置し、固定するものが一般的である。
【０００３】
また、屋根体を構成する屋根パネルを保持固定する屋根押さえ部材の上に、ピース状の取付金具を複数固定し、その上に載置台部材を固定する組立建物も知られている。このような太陽光発電パネルを備えた組立建物としては、例えば特許文献１に挙げるようなものがある。
【先行技術文献】
【特許文献】
【０００４】
【特許文献１】特開２０１１−１０６１８８号公報
【発明の概要】
【発明が解決しようとする課題】
【０００５】
従来の組立建物では、屋根体を構成する屋根押さえ部材の上に、取付金具を取付け、さらにその上に載置台部材を固定していたため、部品点数が多く、施工に手間がかかっていた。また、屋根体と太陽光発電パネルの間には、放熱や雨水の排水のため、ある程度の隙間は必要であるが、従来の組立建物では、取付金具の上に載置台部材を固定するため、厚み方向寸法が必要以上に大きいので、屋根体と太陽光発電パネルの間にゴミ等が侵入しやすく、また、薄型のデザインが好まれる中で意匠性を高くできないという問題があった。
【０００６】
本発明は前記課題を鑑みてなされたものであり、太陽光発電パネルを屋根体の上に固定するための部品数が少なく、かつ薄型化して意匠性も向上させることのできる組立建物を提供することを目的とする。
【課題を解決するための手段】
【０００７】
前記課題を解決するため、本発明に係る組立建物は、支持体の上に屋根体を固定し、該屋根体の上に太陽光発電パネルを載置固定してなる組立建物において、
前記屋根体は、屋根パネルの縁部を挟持する下保持部材と上保持部材とを複数有し、該上保持部材は短尺状のフレーム固定部品を長手方向に挿入自在な挿入部を上部に有し、該挿入部に挿入されたフレーム固定部品に対し、前記上保持部材と直交する方向に沿って配置されるパネル支持フレームが上方から締結固定され、該パネル支持フレームは前記太陽光発電パネルを載置する載置面部を有し、
前記フレーム固定部品は前記パネル支持フレームの幅より長手方向に長く、
前記挿入部は、前記上保持部材の上面から上方に突出状に形成されると共に、上部開放状に形成され、前記フレーム固定部品は、前記挿入部内に納まり外方に突出しない形状を有すると共に、挿入方向と直行する方向における中央部である固定部が前記挿入部の上方に向かって露出し、前記固定部には前記パネル支持フレームを固定する固定穴が形成されていることを特徴として構成されている。
【００１０】
さらにまた、本発明に係る組立建物は、前記屋根体の端部で前記屋根パネルの縁部を挟持する端部上保持部材には、前記パネル支持フレームが直接固定される端部固定面部が一体形成されていることを特徴として構成されている。
【発明の効果】
【００１１】
本発明に係る組立建物によれば、屋根体の上に太陽光発電パネルを載置固定する構造において、屋根パネルの縁部を挟持する上保持部材に挿入部を設け、この挿入部に短尺状のフレーム固定部品を挿入し、フレーム固定部品に対してパネル支持フレームを固定するようにしたので、屋根体を構成する上保持部材に挿入されるフレーム固定部品だけで、太陽光発電パネルを支持する架台となるパネル支持フレームを固定できるので、太陽光発電パネルを支持するための構造の厚みを小さくすることができ、屋根体と太陽光発電パネルを合わせた全体の薄型化を図ることができるので、意匠性を向上させることができる。また、フレーム固定部品の挿入及び上方からの締結固定だけでパネル支持フレームを固定できるから、屋根体の下方からの作業が不要となり、作業性を向上させることができると共に、部品点数も削減できる。
【００１２】
また、本発明に係る組立建物によれば、フレーム固定部品はパネル支持フレームの幅より長手方向に長いので、パネル支持フレームをフレーム固定部品に対し確実に載置して固定することができる。
【００１３】
さらに、本発明に係る組立建物によれば、挿入部が上部開放状となっており、フレーム固定部品の固定部が上方に露出するので、フレーム固定部品とパネル支持フレームの固定に際し、位置決めを容易に行うことができる。
【００１４】
さらにまた、本発明に係る組立建物によれば、端部上保持部材にはパネル支持フレームが直接固定される端部固定面部が一体形成されているので、パネル支持フレームの端部において上保持部材の長手方向に対する固定をなすことができる。
【図面の簡単な説明】
【００１５】
【図１】本実施形態の組立建物の正面図である。
【図２】本実施形態の組立建物の側面図である。
【図３】図２のＢ−Ｂ断面図のうち一端側付近の拡大図である。
【図４】図３のうち１つの下保持部材及び上保持部材付近の拡大図である。
【図５】図３のうち端部下保持部材及び端部上保持部材付近の拡大図である。
【図６】図１のＡ−Ａ断面図のうち一端側付近の拡大図である。
【図７】図６のうちパネル支持フレーム付近の拡大図である。
【図８】上保持部材の断面図である。
【図９】上保持部材に対するフレーム固定部品の挿入前の状態を表した分解斜視図である。
【図１０】屋根体の端部に設けられる端部上保持部材の断面図である。
【図１１】屋根体のコーナー部付近におけるパネル支持フレームの固定作業中の斜視図である。
【発明を実施するための形態】
【００１６】
本発明の実施形態について図面に沿って詳細に説明する。図１には本実施形態の組立建物の正面図を、図２には本実施形態の組立建物の側面図を、それぞれ示している。本実施形態の組立建物は、地面に前後複数立設される支持体１でパネル状の屋根体２を支持し、屋根体２の上に太陽光発電パネル３を配設してなるものであって、カーポートとして用いられるものである。支持体１は、左右２本の支柱１０、１０の上端部に、梁１１の両端部を固定して略コ字状に形成されてなる。図１の紙面前側及び図２の左側が、車の出入りする側である。
【００１７】
図１及び図２に示すように、支持体１の上に固定される屋根体２は、車の出入りする側から奥側に向かって上り傾斜状となっている。屋根体２は、側面の四周に渡る枠体１２を有しており、その内側に屋根パネル１５を保持している。枠体１２は前枠１２ａと後枠１２ｂ及び左右の側枠１２ｃ、１２ｃからなっている。屋根体２の上に載置固定される太陽光発電パネル３は、屋根体２よりも小さい寸法であり、車の出入りする方向及びそれと直交する方向にそれぞれ複数枚が並設配置されて、全体としては屋根体２よりもやや小さい面積を占める領域を占有する。
【００１８】
屋根体２の構成について説明する。図３には、図２のＢ−Ｂ断面図のうち一端側付近の拡大図を示している。この図に示すように、梁１１の上面には、所定間隔おきに梁１１と直交する方向に沿う長尺状の下保持部材１３が取付けられる。下保持部材１３は、屋根体２において前枠１２ａから後枠１２ｂに渡る長さを有している。下保持部材１３の上部には、該下保持部材１３と同じ長さを有する上保持部材１４が固定され、下保持部材１３と上保持部材１４によって、隣接する２枚の屋根パネル１５、１５の縁部をそれぞれ保持固定する。
【００１９】
支柱１０の上面、すなわち屋根体２の左右端部には、端部下保持部材１６が取付けられている。端部下保持部材１６の上部には、端部上保持部材１７が固定され、端部下保持部材１６と端部上保持部材１７によって、左右端部の屋根パネル１５の端部を保持固定する。
【００２０】
図４には、図３のうち１つの下保持部材１３及び上保持部材１４付近の拡大図を示している。下保持部材１３は、梁１１の上面に載置されて固定される中空部５０を有し、中空部５０の上面は、上方に向かって突出する下連結部５１を備えると共に、その両側がそれぞれ屋根パネル１５を下方から挟持するための下挟持部５２、５２となっている。下挟持部５２には、屋根パネル１５の下面に直接当接する気密材５３が長手方向に沿って設けられている。
【００２１】
上保持部材１４は、下保持部材１３の下連結部５１に対してネジ止め固定される上連結部５５と、この上連結部５５から左右にそれぞれ伸びる上挟持部５６とを有している。上挟持部５６は、屋根パネル１５を上方から挟持し、下挟持部５２の気密材５３と対向する位置に気密材５７を有していて、屋根パネル１５に対し直接当接する。また、上保持部材１４の上面には、上方に向かって突出状に形成された挿入部５８が一体的に形成されている。挿入部５８は、太陽光発電パネル３の固定のために用いられる。
【００２２】
図５には、図３のうち端部下保持部材１６及び端部上保持部材１７付近の拡大図を示している。端部下保持部材１６は、下保持部材１６のうち一方を切り取ったような形状を有しており、中空部５０の上面に下連結部５１が突出状に形成され、その一方側の上面が下挟持部５２となっていて気密材５３を保持し、屋根パネル１５を下面側から挟持すると共に、中空部５０の端面には側枠１２ｃが固定されている。
【００２３】
端部上保持部材１７は、上保持部材１４のうち一方を切り取ったような形状を有し、下連結部５１とネジ止め固定される上連結部５５と、上連結部５５から一方側に向かって伸びる上挟持部５６とを有し、上挟持部５６には気密材５７が保持されて屋根パネル１５を上面側から挟持する。また、上挟持部５６の上面には突出片５９が一体的に形成されている。
【００２４】
屋根体２の上部に取付けられる太陽光発電パネル３の固定構造について説明する。図６には、図１のＡ−Ａ断面図のうち一端側付近の拡大図を示している。この図に示すように、上保持部材１４の上部には、上保持部材１４と直交する方向に沿って配置されるパネル支持フレーム４が取付けられている。パネル支持フレーム４は、屋根体２の前後両端部とその中間部に、太陽光発電パネル３の寸法に略適合する所定間隔ごとに設けられ、太陽光発電パネル３の縁部を載置する載置面部２２を有している。
【００２５】
図７には、図６のうちパネル支持フレーム４付近の拡大図を示している。パネル支持フレーム４は、上保持部材１４の上部に固定される平面状の下面部２０を有し、下面部２０の上部には断面略方形状の中空凸部２１が形成されている。中空凸部２１の上面は、太陽光発電パネル３を載置自在な載置面部２２であり、その中央部には、長手方向に沿って凹状の溝部２１ａが形成されている。
【００２６】
載置面部２２の上部には、隣接する太陽光発電パネル３、３を連結固定する太陽光発電パネル固定部品２３が締結固着されている。太陽光発電パネル固定部品２３は、太陽光発電パネル３の一辺よりも短い短尺状であって、載置面部２２の長手方向に沿って所定間隔で複数が設けられる。太陽光発電パネル固定部品２３は、載置面部２２に対し締結固着される固定面部４０と、その両端から上方に向かって伸び、太陽光発電パネル３の側面と対向する対向面部４１とで、略Ｕ字状をなすように形成されており、さらに、対向面部４１の上端から太陽光発電パネル３の側面に向かって突出する係合面部４２が形成されている。
【００２７】
パネル支持フレーム４の上面に形成される溝部２１ａには、ボルト２４の頭部が長手方向にスライド挿入されて配置されており、ボルト２４が溝部２１ａから上方に向かって突出するように配置されている。ボルト２４は太陽光発電パネル固定部品２３の固定面部４０を挿通され、ナット２５が上方からボルト２４に対し締結されることで、太陽光発電パネル固定部品２３が固定されている。
【００２８】
太陽光発電パネル３は、発電を行うパネル部３０の側面に、金属製のフレーム部３１が設けられている。フレーム部３１には、その長手方向に沿って、突出方向に向かう上り傾斜状の係止突部３２が形成されている。太陽光発電パネル固定部品２３の係合面部４２は、突出方向に向かう下り傾斜状に形成されているから、係合面部４２を係止突部３２に対して上方から引っ掛けるように係止させることができ、これによって太陽光発電パネル３を固定する。また、係合面部４２は固定面部４０の両側に形成されているから、隣接する太陽光発電パネル３、３の両方を固定することができる。
【００２９】
パネル支持フレーム４の固定につき、より詳細に説明する。図８には、上保持部材１４の断面図を示している。前述のように、上保持部材１４の上面には、上方に向かって突出状に形成された挿入部５８が一体的に形成されている。挿入部５８は、２つの逆Ｌ字状に形成された突出片が向かい合うように配置されていて、長手方向に沿って上方開放状の空間部を形成している。挿入部５８によって形成されるこの空間部に対し、短尺状のフレーム固定部品７０がスライド挿入される。
【００３０】
図９には、上保持部材１４に対するフレーム固定部品７０の挿入前の状態を表した分解斜視図を示している。フレーム固定部品７０は、平面状の固定面部７１の両側から下方に伸びる２つの側面部７３、７３を有した断面略コ字状の短尺部品からなっている。固定面部７１の幅方向中央部には、２つの固定孔７２、７２が所定間隔で配置されている。フレーム固定部品７０の長手方向長さは、パネル支持フレーム４の幅よりも長く形成されている。したがって、パネル支持フレーム４をフレーム固定部品７０に対し確実に載置して固定することができる。
【００３１】
フレーム固定部品７０の断面形状は、上保持部材１４の挿入部５８の内面断面形状に略適合しており、フレーム固定部品７０を挿入部５８に対し端部からスライドさせて挿入することができる。上保持部材１４は、屋根体２の前後方向に沿うように配置されており、それと直交する屋根体２の左右方向に沿って複数が設けられている。それらのそれぞれに、フレーム固定部品７０が挿入される。
【００３２】
図１０には、屋根体２の端部に設けられる端部上保持部材１７の断面図を示している。端部上保持部材１７には、逆Ｌ字状からなる突出片５９が１つ、一体的に形成されており、その上面はパネル支持フレーム４を載置固定可能な端部固定面部５９ａとなっている。パネル支持フレーム４は、端部固定面部５９ａに対して直接固定される。
【００３３】
図１１には、屋根体２のコーナー部付近におけるパネル支持フレーム４の固定作業中の斜視図を示している。この図に示すように、パネル支持フレーム４は、上保持部材１４や端部上保持部材１７と直交する方向に配置され、下面部２０が上保持部材１４の挿入部５８上面及び端部上保持部材１７の端部固定面部５９ａに対して載置されている。パネル支持フレーム４の端部は、端部上保持部材１７の端部固定面部５９ａに対して載置され、先にネジ止め固定される。これにより、上保持部材１４の長手方向におけるパネル支持フレーム４の位置が固定される。
【００３４】
上保持部材１４の挿入部５８は、上方開放状となっており、挿入部５８に挿入されたフレーム固定部品７０は、固定面部７１の幅方向中央部分が上方に露出する。このため、フレーム固定部品７０がパネル支持フレーム４の挿入部５８に挿入された状態では、固定面部７１の幅方向中央部に形成された固定孔７２、７２が、上方に露出している。パネル支持フレーム４の幅方向両側の下面部２０には、ボルトを挿通させる固定孔２０ａ、２０ａがそれぞれ形成されており、これらの間隔は、フレーム固定部品７０の固定孔７２、７２の間隔と同じである。上方に露出するフレーム固定部品７０の固定孔７２、７２と、パネル支持フレーム４の固定孔２０ａ、２０ａとの位置が一致するようにフレーム固定部品７０をスライドさせることで、パネル支持フレーム４の長手方向に沿う固定を容易に行うことができると共に、パネル支持フレーム４をボルトにより上方から締結固定することができる。
【００３５】
パネル支持フレーム４を屋根体２に取付けたら、その上面に形成された溝部２１ａに対し、端部からボルト２４の頭部を挿入しておく。載置面部２２に太陽光発電パネル３を載置した上で、太陽光パネル固定部品２３を太陽光発電パネル３の側面に係止させると共に、ナット２５をボルト２４に締結することにより、図７のようにパネル支持フレーム４上で太陽光発電パネル３を固定することができる。
【００３６】
このように、屋根体２の上に太陽光発電パネル３を載置固定する構造において、屋根パネル１５の縁部を挟持する上保持部材１４に、挿入部５８を一体的に形成し、この挿入部５８に短尺状のフレーム固定部品７０を挿入し、フレーム固定部品７０に対してパネル支持フレーム４を固定するようにしたので、屋根体２を構成する上保持部材１４に挿入されるフレーム固定部品７０だけで、太陽光発電パネル３を支持する架台となるパネル支持フレーム４を固定できるので、太陽光発電パネル３を支持するための構造の厚みを小さくすることができ、屋根体２と太陽光発電パネル３を合わせた全体の薄型化を図ることができ、意匠性を向上させることができる。また、フレーム固定部品７０の挿入及び上方からの締結固定だけでパネル支持フレーム４を固定できるから、屋根体２の下方からの作業が不要となり、作業性を向上させることができると共に、部品点数を削減できる。
【００３７】
以上、本発明の実施形態について説明したが、本発明の適用は本実施形態には限られず、その技術的思想の範囲内において様々に適用されうるものである。組立建物の基本構成については、本実施形態では支持体１が両支持タイプであって、屋根体２が前方に向かって下り傾斜状となっているが、支持体１が片流れタイプなど別のものであってもよいし、屋根体２の傾斜方向が別のタイプであってもよい。また、組立建物の寸法及び縦横比率などは、設置される土地に応じて様々なものがあり、どのようなものであっても本発明を適用することができる。
【符号の説明】
【００３８】
１    支持体
２    屋根体
３    太陽光発電パネル
４    パネル支持フレーム
１０    支柱
１１    梁
１２    枠体
１３    下保持部材
１４    上保持部材
１５    屋根パネル
２０    下面部
２１    中空凸部
２１ａ  溝部
２２    載置面部
２３    太陽光発電パネル固定部品
２４    ボルト
２５    ナット
４０    固定面部
４１    対向面部
４２    係合面部
５０    中空部
５１    下連結部
５２    下挟持部
５３    気密材
５５    上連結部
５６    上挟持部
５７    気密材
５８    挿入部
５９    突出片
５９ａ  端部固定面部
７０    フレーム固定部品
７１    固定面部
７２    固定孔
７３    側面部
【図１】
0006010814.tif 000002
【図２】
0006010814.tif 000003
【図３】
0006010814.tif 000004
【図４】
0006010814.tif 000005
【図５】
0006010814.tif 000006
【図６】
0006010814.tif 000007
【図７】
0006010814.tif 000008
【図８】
0006010814.tif 000009
【図９】
0006010814.tif 000010
【図１０】
0006010814.tif 000011
【図１１】
0006010814.tif 000012